(57)【特許請求の範囲】
【請求項１】
中空の玩具本体に１以上の変形装飾構造が設けられている玩具であって、
前記変形装飾構造は、
前記玩具本体の外壁部に設けられた開口部と、
前記開口部から一部が突出するように並んで配置された複数の装飾片と、
前記玩具本体の内部に、前記開口部の両側に位置するように設けられて前記開口部に沿って延びる一対の対向する壁部とを備え、
前記装飾片の第１の部分が前記玩具本体の内部に収納され且つ前記装飾片の第２の部分が前記開口部から突出した状態になる第１の角度位置と、前記装飾片の前記第２の部分が前記開口部の内部に収納され且つ前記装飾片の第１の部分が前記開口部から突出した状態になる第２の角度位置との間を回動中心を中心にして回動し得るように、前記複数の装飾片のそれぞれが、前記一対の対向する壁部の少なくとも一方に回動可能に取り付けられており、
前記装飾片が前記第１の角度位置にあるとき及び前記第２の角度位置にあるときに、それぞれ係合状態になって前記装飾片を前記第１の角度位置または第２の角度位置に保持する係合部及び被係合部のうち、前記係合部が前記装飾片に設けられ、前記被係合部が前記一対の対向する壁部の少なくとも一方に設けられており、
前記開口部から突出する前記第１の部分に外側から前記開口部内に向かう方向の外力が加えられると前記第１の部分が前記回動中心を中心にして回転しながら前記開口部内に入り、同時に前記第２の部分が前記回動中心を中心にして回転しながら前記開口部から突出し、前記開口部から突出する前記第２の部分に外側から前記開口部内に向かう方向の外力が加えられると前記第２の部分が前記回動中心を中心にして回転しながら前記開口部内に入り、同時に前記第１の部分が前記回動中心を中心にして回転しながら前記開口部から突出するように、前記第１の部分と前記第２の部分の形状と位置とが定められており、
前記係合部及び前記被係合部は、前記装飾片が第１の角度位置にあるときに前記第２の部分に所定以上の前記外力が加わると係合が離脱し、前記装飾片が第２の角度位置にあるときに前記第１の部分に所定以上の前記外力が加わると係合が離脱するように構成されていることを特徴とする変形装飾構造を備えた玩具。
【請求項２】
前記複数の装飾片は、前記回動中心を基準として複数の装飾片が並ぶ方向の一方の方向に前記第１の部分が存在し、前記複数の装飾片が並ぶ方向の他方の方向に第２の部分が存在するように並んでいることを特徴とする請求項１に記載の変形装飾構造を備えた玩具。
【請求項３】
前記複数の装飾片は、前記複数の装飾片の第１の部分がすべて前記第１の角度位置にあるときには、隣り合う二つの前記装飾片が第１の種類の係合構造を介して係合しており、
前記複数の装飾片の第１の部分がすべて前記第２の角度位置にあるときには、隣り合う二つの前記装飾片が第２の種類の係合構造を介して係合しており、
前記第１の種類の係合構造は、前記第１の部分が位置する方向に位置する前記装飾片から順番に前記第１の部分を前記第１の角度位置から前記第２の角度位置に変位させる場合にのみ前記隣り合う二つの前記装飾片の係合状態が解除可能になるように構成されており、
前記第２の種類の係合構造は、前記第２の部分が位置する方向に位置する前記装飾片から順番に前記第１の部分を前記第２の角度位置から前記第１の角度位置に変位させる場合にのみ前記隣り合う二つの前記装飾片の係合状態が解除可能になるように構成されていることを特徴とする請求項２に記載の変形装飾構造を備えた玩具。
【請求項４】
前記第１の種類の係合構造は、前記装飾片の前記第１の部分が前記第１の角度位置から前記第２の角度位置に変位する過程で解除状態となり、前記装飾片の前記第１の部分が前記第２の角度位置から前記第１の角度位置に変位する過程で係合状態となるように構成されており、
前記第２の種類の係合構造は、前記装飾片の前記第１の部分が前記第２の角度位置から前記第１の角度位置に変位する過程で解除状態となり、前記装飾片の前記第１の部分が前記第１の角度位置から前記第２の角度位置に変位する過程で係合状態となるように構成されている請求項３に記載の変形装飾構造を備えた玩具。
【請求項５】
前記玩具本体の外側には、前記複数の装飾片が並ぶ方向に沿って前記一方の方向と前記他方の方向にスライドするスライド部材が取り付けられており、
前記スライド部材には、前記スライド部材が前記一方の方向にスライドする過程で前記第１の部分に前記外力を加え、前記スライド部材が前記他方の方向にスライドする過程で前記第２の部分に前記外力を加える印加部材が設けられていることを特徴とする請求項２に記載の変形装飾構造を備えた玩具。
【請求項６】
前記印加部材は、前記スライド部材がスライド動作を行っている過程で、前記装飾片の前記第１の部分及び第２の部分の前記開口部から露出する露出面と接触する接触面を備えており、
前記印加部材は前記スライド部材に設けられた回動中心を中心にして回動し得る構造を有しており、
前記接触面の形状は、前記スライド部材が前記一方の方向にスライドする際には前記第１の部分の前記露出面と常時接触し、前記スライド部材が前記他方の方向にスライドする際には前記第２の部分の前記露出面と常時接触し得るように定められていることを特徴とする請求項５に記載の変形装飾構造を備えた玩具。
【請求項７】
前記係合部は、横断面形状が円形をなす孔部または凹部から構成され、前記被係合部は係合状態にあるときに前記孔部または凹部の内部に嵌合される半球状の突出部から構成され、
前記装飾片の取付構造は、所定以上の前記外力が前記装飾片に加わったときに前記孔部または凹部と前記突出部との係合が解除されるように定められている請求項１に記載の変形装飾構造を備えた玩具。
【請求項８】
前記玩具本体には、対向する一対の側壁部に、前記変形装飾構造がそれぞれ１つずつ設けられており、
前記スライド部材には、２つの前記変形装飾構造に対応して２つの前記印加部材が設けられており、
２つの前記変形装飾構造と２つの前記印加部材は、前記スライド部材をスライドするときに、同時に変形動作を行う位置関係を持って配置されている請求項６に記載の変形装飾構造を備えた玩具。
【請求項９】
前記玩具本体が刀身部を構成し、前記スライド部材が鍔部を構成し、前記玩具本体の複数の装飾片が並ぶ方向の一端にグリップ部が設けられて刀の構造をなしている請求項５，６または８に記載の変形装飾構造を備えた玩具。
【発明の詳細な説明】
【技術分野】
【０００１】
本発明は、玩具本体に変形装飾構造を備えた玩具に関するものである。
【背景技術】
【０００２】
実開平６−８０４９４号公報（特許文献１）に示された武器玩具では、複数のパーツの組み合わせを変えることにより、武器の外観を変えて武器の種類を変更している。
【特許文献１】実開平６−８０４９４号公報    図５
【発明の開示】
【発明が解決しようとする課題】
【０００３】
しかしながら複数のパーツを組み合わせて異なる種類の武器に変更することは、玩具で遊んでいる際に、変形を必要とするたびに遊びを中断しなければならない問題がある。
【０００４】
本発明の目的は、パーツを変更することなく、簡単に玩具の装飾を変形して玩具の外観を変えることができる変形装飾構造を備えた玩具を提供することにある。
【０００５】
本発明の他の目的は、耐久性のある変形装飾構造を備えた玩具を提供することにある。
【０００６】
本発明の他の目的は、少ない部品点数で且つ簡単な構造で耐久性のある変形装飾構造を備えた玩具を提供することにある。
【０００７】
本発明のさらに他の目的は、スライド動作をすることにより、玩具の装飾を簡単に変更をすることができる変形装飾構造を備えた玩具を提供することにある。
【０００８】
本発明の他の目的は、１回のスライド動作で２つの変形装飾構造を動作せることができる変形装飾構造を備えた玩具を提供することにある。
【０００９】
本発明の他の目的は、並んだ複数の装飾片が必ず順番にしか変形することがない変形装飾構造を備えた玩具を提供することにある。
【００１０】
本発明の他の目的は、変形した装飾片によって作られる外観が簡単に崩れることがない変形装飾構造を備えた玩具を提供することにある。
【００１１】
本発明のその他の目的は、変形装飾構造を備えた刀の構造をなす玩具を提供することある。
【課題を解決するための手段】
【００１２】
本発明は、中空の玩具本体に１以上の変形装飾構造が設けられている玩具を対象とする。本発明の玩具で用いる変形装飾構造は、玩具本体の外壁部に設けられた開口部と、開口部から一部が突出するように並んで配置された複数の装飾片と、玩具本体の内部に、開口部の両側に位置するように設けられて、複数の装飾片が並ぶ方向に延びる一対の対向する壁部とを備えている。なお開口部は、複数の装飾片に対して細長い開口部を１つ設けてもよいが、複数の装飾片のそれぞれに対応して複数の開口部を設けてもよいのはもちろんである。
【００１３】
各装飾片は、少なくとも第１の部分と第２の部分とを備えている。複数の装飾片のそれぞれは、装飾片の第１の部分が玩具本体の内部に収納され且つ装飾片の第２の部分が開口部から突出した状態になる第１の角度位置と、装飾片の第２の部分が開口部の内部に収納され且つ装飾片の第１の部分が開口部から突出した状態になる第２の角度位置との間を回動中心を中心にして回動し得るように、一対の対向する壁部の少なくとも一方に回動可能に取り付けられている。そして装飾片が第１の角度位置にあるとき及び第２の角度位置にあるときに、それぞれ係合状態になって装飾片を第１の角度位置または第２の角度位置に保持する係合部及び被係合部のうち、係合部が装飾片に設けられ、被係合部が一対の対向する壁部の少なくとも一方に設けられている。
【００１４】
そして、開口部から突出する第１の部分に外側から開口部内に向かう方向の外力が加えられると第１の部分が回動中心を中心にして回転しながら開口部内に入り、同時に第２の部分が回動中心を中心にして回転しながら開口部から突出し、開口部から突出する第２の部分に外側から開口部内に向かう方向の外力が加えられると第２の部分が回動中心を中心にして回転しながら開口部内に入り、同時に第１の部分が回動中心を中心にして回転しながら開口部から突出するように、第１の部分と前記第２の部分の形状と位置とが定められている。
【００１５】
また前述の係合部及び被係合部は、装飾片が第１の角度位置にあるときに第２の部分に所定以上の外力が加わると係合が離脱し、装飾片が第２の角度位置にあるときに第１の部分に所定以上の外力が加わると係合が離脱するように構成されている。
【００１６】
本発明で用いる変形装飾構造では、開口部から突出する装飾片の第１の部分または第２の部分に外力を加えることによって、各装飾片を簡単に開口部から突出させたり、開口部に収納することができる。したがって本発明によれば、部品の分解をしたり、パーツの組み合わせを変更したりすることなく、複数の装飾片を開口部から出したり、引っ込めたりすることにより、玩具本体の外観を変更することができる。
【００１７】
複数の装飾片を、それぞれ回動中心を基準として複数の装飾片が並ぶ方向の一方の方向に第１の部分が存在し、複数の装飾片が並ぶ方向の他方の方向に第２の部分が存在するように並べると、例えば第１の部分または第２の部分に外力を与えるための印加手段を、複数の装飾片の第１の部分または第２の部分に接触させながら、複数の装飾片に沿って一方向に移動させること（スライド動作）により、複数の装飾片を順番に開口部から出したり、引っ込めたりすることができる。したがってこのようにすると、スライド動作を行うことにより、すばやく玩具の外観を変形することができる。なお印加手段として、例えば遊戯者の手の指や掌を用いてもよいが、後に説明するように、専用の印加部材を設けてもよい。
【００１８】
なお複数の装飾片は、複数の装飾片の第１の部分がすべて第１の角度位置にあるときには、隣り合う二つの装飾片が第１の種類の係合構造を介して係合している。また複数の装飾片の第１の部分がすべて第２の角度位置にあるときには、隣り合う二つの装飾片が第２の種類の係合構造を介して係合している。第１の種類の係合構造は、第１の部分が位置する方向に位置する装飾片から順番に第１の部分を第１の角度位置から第２の角度位置に変位させる場合にのみ隣り合う二つの装飾片の係合状態が解除可能になるように構成されている。また第２の種類の係合構造は、第２の部分が位置する方向に位置する装飾片から順番に第１の部分を第２の角度位置から第１の角度位置に変位させる場合にのみ隣り合う二つの装飾片の係合状態が解除可能になるように構成されている。具体的には、第１の種類の係合構造は、装飾片の第１の部分が第１の角度位置から第２の角度位置に変位する過程で解除状態となり、装飾片の第１の部分が第２の角度位置から第１の角度位置に変位する過程で係合状態となるように構成されている。また第２の種類の係合構造は、装飾片の第１の部分が第２の角度位置から第１の角度位置に変位する過程で解除状態となり、装飾片の第１の部分が第１の角度位置から第２の角度位置に変位する過程で係合状態となるように構成されている。このような第１の種類の係合構造と第２の種類の係合構造を用いて、隣り合う装飾片を関係付けると、並んでいる複数の装飾片を必ず一方の方向または他方の方向から順番に変形させる場合にしか、各装飾片の姿勢を変えることができなくなる。その結果、僅かな一部の装飾片に外力を加えるだけで、変形した外観が簡単に崩れてしまうといった事態が発生するのを防止することができて、耐久性のある変形態様を確保できる。
【００１９】
なお装飾片が第１の角度位置に達すると装飾片の一部と当接して装飾片の更なる変位を規制する第１のストッパ部と、装飾片が第２の角度位置に達すると装飾片の一部と当接して装飾片の更なる変位を規制する第２のストッパ部とを更に設けておくのが好ましい。このようなストッパ部を設けることにより、必要以上の外力が第１の部分及び第２の部分に加えられたとしても、装飾片の取付構造が壊れたり、装飾片自身が壊れたりするのを防止できる。
【００２０】
なお複数の装飾片のうち、複数の装飾片が並ぶ方向の前記一方の方向の端部に位置する装飾片を除いて、他の装飾片に第２のストッパ部を形成することができる。また複数の装飾片のうち、複数の装飾片が並ぶ方向の他方の方向の端部に位置する装飾片を除いて、他の装飾片に第１のストッパ部を形成してもよい。このようにすると、装飾片の数が幾つあっても、個々の装飾片に対するストッパ部を設ける位置を考慮する必要がなくなるので、設計が容易になる。また玩具本体側の構造がシンプルになる利点もある。
【００２１】
玩具本体の外側には、複数の装飾片が並ぶ方向に沿って一方の方向と他方の方向にスライドするスライド部材を取り付けることができる。そしてこのスライド部材には、スライド部材が一方の方向にスライドする過程で第１の部分に外力を加え、スライド部材が他方の方向にスライドする過程で第２の部分に外力を加える印加部材を設けることができる。このようにするとスライド部材をスライド動作させることにより、複数の装飾片を順番に開口部から出したり、開口部内に引っ込めたりすることができる。スライド部材を用いると、手の指等を印加手段として用いる必要がなくなるため、年齢層の低い遊戯者でも、簡単に変形を楽しむことができる。
【００２２】
なお印加部材は、スライド部材がスライド動作を行っている過程で、装飾片の第１の部分及び第２の部分の開口部から露出する露出面と接触する接触面を備えている。印加部材は、スライド部材に設けられた回動中心を中心にして回動し得る構造を有しているのが好ましい。この場合、接触面の形状は、スライド部材が一方の方向にスライドする際には第１の部分の露出面と常時接触し、スライド部材が他方の方向にスライドする際には第２の部分の露出面と常時接触し得るように定める。このように印加部材を回動し得る構造にして、しかも接触面の形状を特定すると、印加部材の接触面をスムーズに装飾片の第１及び第２の部分と接触させることができて、スライド部材の操作を楽に行える。
【００２３】
前述の係合部と被係合部の構造は、係合が解除可能なものであればどのような構造であってもよい。例えば、係合部を、横断面形状が円形をなす孔部または凹部から構成し、被係合部を係合状態にあるときに孔部または凹部の内部に嵌合される半球状の突出部から構成してもよい。この場合には、装飾片の取付構造は、所定以上の外力が装飾片に加わったときに孔部または凹部と突出部との係合が解除されるように定めればよい。このような構造にすると、簡単な構造で係合の解除が容易な係合構造を構成することができる。
【００２４】
なお玩具本体には、対向する一対の側壁部に、変形装飾構造がそれぞれ１つずつ設けることができる。この場合には、スライド部材に、２つの変形装飾構造に対応して２つの印加部材を設ければよい。そして２つの変形装飾構造と２つの印加部材は、スライド部材をスライドするときに、同時に変形動作を行う位置関係をもって配置すればよい。このようにすると２つの変形装飾構造に、１つのスライド部材を用いて同時に変形動作させることができる。
【００２５】
また玩具本体が刀身部を構成し、スライド部材が鍔部を構成し、玩具本体の長手方向の一端にグリップ部が設けられて刀の構造をなす玩具に本発明を適用してもよいのは勿論である。
【発明の効果】
【００２６】
本発明によれば、部品の分解をしたり、パーツの組み合わせ変更したりすることなく、複数の装飾片を開口部から出したり、引っ込めたりすることにより、玩具本体の外観を変更することができる利点が得られる。
【発明を実施するための最良の形態】
【００２７】
以下、本発明の変形装飾構造を備えた玩具を実施するための最良の形態を図面を参照して詳細に説明する。図１（Ａ）及び（Ｂ）は、外観が変わる刀玩具に本発明を適用した実施の形態の一例の斜視図である。この刀玩具は、遊戯者が手で握るグリップ部１と、刀身を構成する玩具本体３と、鍔部を構成するスライド部材５と、２つの変形装飾構造７及び９とを備えている。なおこの玩具では、玩具本体３の基部に、図示しないボール状の認識パーツを嵌合する嵌合用凹部１１を有し、認識パーツの内部の可動部材を駆動するためのモータを内蔵した制御部１３を備えている。図１に示した状態は、スライド部材５を玩具本体３の先端側にスライドさせて、２つの変形装飾構造７及び９を突出変形させた状態を示している。２つの変形装飾構造７及び９は、玩具本体３の幅方向の両側壁にそれぞれ対称的に配置されている。またスライド部材５は、玩具本体３の刀身部の外壁上を玩具本体３の長手方向にスライド可能に嵌合されている。
【００２８】
図２（Ａ）乃至（Ｄ）は、変形装飾構造７及び９が非突出状態から突出状態に変化する過程（スライド部材５が制御部１３から先端部に向かって移動する過程）を順番に示すために玩具の玩具本体３の一部を半割り状態にして示した図であり、図３（Ａ）及び（Ｂ）は変形の過程の要部を拡大して示した斜視図である。２つの変形装飾構造７及び９は、対称的な形状を有しているため、一方の変形装飾構造７について図２及び図３を参照して説明する。
【００２９】
変形装飾構造７は、玩具本体３の外壁部に設けられた開口部１４と、開口部１４から一部が突出するように並んで配置された４つの装飾片１５ａ乃至１５ｄと、玩具本体３の内部に、開口部１４の両側に位置するように設けられて、４つの装飾片１５ａ乃至１５ｄが並ぶ方向に延びる一対の対向する壁部１７及び１９（図３には一方の壁部１７だけを示してある）とを備えている。この例の開口部１４は、４つの装飾片１５ａ乃至１５ｄに対して１つだけ設けられた細長い開口部である。
【００３０】
図３に示すように、装飾片１５ａ乃至１５ｄは、開口部１４から露出する第１の部分２１及び第２の部分２３とをそれぞれ備えている。装飾片１５ａ乃至１５ｄは、それぞれ回動中心を中心にして回動し得るように、一対の対向する壁部１７及び１９のうちの一方の対向する壁部１７に回動可能に取り付けられている。回動中心を有する回動構造の構成は任意であるが、この例では、壁部１７の内壁に固定軸２５を設け、この固定軸２５に装飾片１５ａ乃至１５ｄに設けた貫通孔２７を嵌合した回動構造を備えている。したがって固定軸２５の軸線が回動中心となる。この例では、他方の壁部１９が、装飾片１５ａ乃至１５ｄと所定の間隙を介して対向して、装飾片１５ａ乃至１５ｄが固定軸２５から外れるのを阻止する機能をはたしている。
【００３１】
この例では、装飾片１５ａ乃至１５ｄのそれぞれは、第１の部分２１が玩具本体３の内部に収納され且つ装飾片１５ａ乃至１５ｄの第２の部分２３が開口部１４から突出した状態になる第１の角度位置と、装飾片１５ａ乃至１５ｄの第２の部分２３が開口部１４の内部に収納され且つ装飾片１５ａ乃至１５ｄの第１の部分２１が開口部１４から突出した状態になる第２の角度位置との間を固定軸２５を中心にして回動する。図３（Ｂ）において、装飾片１５ｂ及び１５ｃが、第１の角度位置にあり、装飾片１５ａが第２の角度位置にある。
【００３２】
装飾片１５ａ乃至１５ｄは、各装飾片が第１の角度位置にあるとき及び第２の角度位置にあるときに、それぞれ係合状態になって装飾片を第１の角度位置または第２の角度位置に保持する係合部２９を備えている。本例では、係合部２９が、固定軸２５を中心とする仮想円弧上に中心が位置するように形成された孔部によって構成されている。そして壁部１７には、図３（Ｂ）に示されるように、係合部２９を構成する孔部が嵌合される半球状の突出部３１からなる２つの被係合部が設けられている。被係合部は、回転軸２５を中心とする仮想円弧上に半球状の二つの突出部３１の中心が位置し、二つの突出部３１の間に円弧状のガイド溝３３が形成された構造を有している［図３（Ｂ）参照］。このガイド溝３３には、係合部２９を構成する孔部の周囲から壁部１７側に突出する図示しない筒部が嵌合されている。図示しない筒部がガイド溝３３内をスライド移動し、係合部２９を構成する孔部に突出部３１が嵌合されると、装飾片は第１の角度位置または第２の角度位置に保持された状態になる。このように構成することにより、装飾片１５ａ乃至１５ｄが第１の角度位置にあるときに第２の部分２３に所定以上の外力が加わると係合が離脱し、装飾片１５ａ乃至１５ｄが第２の角度位置にあるときに第１の部分２１に所定以上の力が加わると係合が離脱するように、係合部２９及び被係合部を構成する突出部３１が構成されることになる。
【００３３】
前述の第１の部分２１及び第２の部分２３の形状と固定軸２５に対する位置は、それぞれ開口部１４から突出する第１の部分２１に外側から開口部１４内に向かう方向の外力が加えられると第１の部分２１が回動中心（固定軸２５）を中心にして回転しながら開口部１４内に入り、同時に第２の部分２３が回動中心（固定軸２５）を中心にして回転しながら開口部１４から突出し、開口部１４から突出する第２の部分２３に外側から開口部１４内に向かう方向の外力が加えられると第２の部分２３が回動中心（固定軸２５）を中心にして回転しながら開口部１４内に入り、同時に第１の部分２１が回動中心を中心にして回転しながら開口部１４から突出するように定められている。その結果、この変形装飾構造７では、開口部１４から突出する装飾片１５ａ乃至１５ｄの第１の部分２１または第２の部分２３に外力を加えることによって、各装飾片１５ａ乃至１５ｄを簡単に開口部１４から突出させたり、開口部１４内に収納することができる。したがって本実施の形態によれば、部品を分解したり、パーツの組み合わせ変更をすることなく、複数の装飾片１５ａ乃至１５ｄを開口部１４から出したり、引っ込めたりすることにより、玩具本体３の外観を変更することができる。
【００３４】
なお本実施の形態では、装飾片１５ａ乃至１５ｄが、第１の角度位置に達すると装飾片の一部（突出部３５）と当接して装飾片の更なる変位を規制する第１のストッパ部（凹部３７）と、装飾片１５ａ乃至１５ｄが第２の角度位置に達すると装飾片の一部（突出部３９）と当接して装飾片の更なる変位を規制する第２のストッパ部（４１）とを備えている。この例では、４つの装飾片１５ａ乃至１５ｄのうち装飾片が並ぶ方向の他方の方向（先端方向）の端部に位置する装飾片１５ｄを除いて、３つの装飾片１５ａ乃至１５ｃには第１のストッパ部（３７）に当たる突出部３５が一体に形成されている。そして装飾片が並ぶ方向の一方の方向（グリップ部に向かう方向）の端部に位置する装飾片１５ａを除いて、他の装飾片１５ｂ乃至１５ｄには第１のストッパ部を構成する凹部３７が形成されている。また４つの装飾片１５ａ乃至１５ｄのうち、装飾片が並ぶ方向の一方の方向の端部に位置する装飾片１５ａを除いて、他の装飾片１５ｂ乃至１５ｄには第２のストッパ部（４１）に当接する突出部３９が形成されている。そして装飾片が並ぶ方向の他方の方向（先端に向かう方向）の端部に位置する装飾片１５ｄを除いて、他の装飾片１５ａ乃至１５ｃには第２のストッパ部を構成する凹部４１が形成されている。なおこの例では、装飾片１５ｄに凹部４１と同様の凹部が形成されているが、この凹部は第２のストッパ部としては機能しないのでストッパ部ではない。このように第１及び第２のストッパ部３７及び４１を設けると、装飾片の数が幾つあっても、個々の装飾片に対するストッパ部を設ける位置を考慮する必要がなくなるので、設計が容易になる。また玩具本体３側の構造がシンプルになる利点もある。
【００３５】
特に、本実施の形態では、それぞれ固定軸（回動中心）２５を基準として、装飾片１５ａ乃至１５ｄが並ぶ方向の一方の方向（グリップ部側に向う方向）に第１の部分２１が存在し、装飾片１５ａ乃至１５ｄが並ぶ方向の他方の方向（先端に向かう方向）に第２の部分２３が存在するように、装飾片１５ａ乃至１５ｄを並べている。その上で、本実施の形態では、玩具本体３の外側には、装飾片１５ａ乃至１５ｄが並ぶ方向に沿って一方の方向（グリップ部に向かう方向）と他方の方向（先端に向かう方向）にスライドするスライド部材５を取り付けている。そしてこのスライド部材５には、スライド部材５が一方の方向にスライドする過程で、装飾片１５ａ乃至１５ｄの第１の部分２１に外力を加え、スライド部材５が他方の方向にスライドする過程で、装飾片１５ａ乃至１５ｄの第２の部分２３に外力を加える印加部材４３を設けている。
【００３６】
本実施の形態で用いている印加部材４３は、スライド部材５がスライド動作を行っている過程で、装飾片１５ａ乃至１５ｄの第１の部分２１及び第２の部分２３の開口部１４から露出する露出面と接触する接触面４５を備えている。そして印加部材４３は、スライド部材５に設けられた軸（回動中心）４７を中心にして、所定の角度範囲内で回動し得る構造を有している。このとき、印加部材４３は、印加部材４３に設けた板状部４８により回転範囲が規制されるように構成してもよい。接触面４５は、軸４７を中心とする円弧面にはなっていない。この接触面４５の形状は、スライド部材５が一方の方向（グリップ部に向かう方向）にスライドする際には第１の部分２１の露出面と常時接触し、スライド部材５が他方の方向（先端に向かう方向）にスライドする際には第２の部分２３の露出面と常時接触し得るように定められている。このように印加部材４３を回動し得る構造にして、しかも接触面４５の形状を特定すると、印加部材４３の接触面をスムーズに装飾片１５ａ乃至１５ｄの第１及び第２の部分２１及び２３と接触させることができて、スライド部材５の操作を楽に行える。
【００３７】
図３に示すように、スライド部材５を先端側に向かってスライドさせると、印加部材４３が第２の部分２３に図３で見て時計回り方向の力を与えることになり、装飾片は時計回り方向に回動する。印加部材４３から第２の部分２３に加えられる力が、装飾片が第１の角度位置にある状態から係合部２９を構成する孔部と下側に位置する半球状の突出部（被係合部）３１との係合を解除することができて、しかも図３（Ｂ）に示すように装飾片が第２の角度位置に達する際に、係合部２９を構成する孔部に上側に位置する半球状の突出部（被係合部）３１が嵌り込むことを可能にする程度の力になるように、印加部材４３の接触面４５の形状が定められている。スライド部材５が更にスライドしても、係合部２９と突出部（被係合部）３１との係合により、装飾片１５ａ乃至１５ｄは自然に落下することはない。
【００３８】
図４及び図５に示すように、スライド部材５を玩具本体３の先端側からグリップ部１側にスライドするときには、印加部材４３が第１の部分２１に、図５で見て反時計回り方向の力を与えることになり、装飾片は反時計回り方向に回動する。印加部材４３から第１の部分２１に加えられる力が、装飾片が第２の角度位置にある状態から係合部２９を構成する孔部と上側に位置する半球状の突出部（被係合部）３１との係合を解除することができて、しかも装飾片が第１の角度位置に達する際に、係合部２９を構成する孔部に下側に位置する半球状の突出部（被係合部）３１が嵌りこむことを可能にする程度の力になるように、印加部材４３の接触面４５の形状が定められている。開口部１４内に入った装飾片１５ａ乃至１５ｄは、第２の角度位置まで到達することによって、係合部２９を構成する孔部に下側に位置する半球状の突出部（被係合部）３１が嵌り込むことによって、第２の角度位置に保持された状態になる。したがって遊戯者が意図的に第２の部分２３を押さない限り、玩具を振り回しても開口部１４内に入った装飾片１５ａ乃至１５ｄが、自然に開口部１４から飛び出すことはない。
【００３９】
特に、本実施の形態では、凹部３７と突出部３５とが第１の種類の係合構造を構成している。また凹部４１と突出部３９とが第２の種類の係合構造を構成している。第１の種類の係合構造（３５，３７）は、第１の部分２１が位置する方向に位置する装飾片から順番に第１の部分２１を第２の角度位置に変位させる場合にのみ隣り合う二つの装飾片の係合状態が解除可能になるように構成されている。また第２の種類の係合構造（３９，４１）は、第２の部分２３が位置する方向に位置する装飾片から順番に第１の部分２１を第２の角度位置から第１の角度位置に変位させる場合にのみ隣り合う二つの装飾片の係合状態が解除可能になるように構成されている。具体的には、第１の種類の係合構造（３５，３７）は、装飾片の第１の部分２１が第１の角度位置から第２の角度位置に変位する過程で解除状態となる。また第１の種類の係合構造（３５，３７）は、装飾片の第１の部分２１が第２の角度位置から第１の角度位置に変位する過程で係合状態となる。そして第２の種類の係合構造（３９，４１）は、装飾片の第１の部分２１が第２の角度位置から第１の角度位置に変位する過程で解除状態となる。また第２の種類の係合構造（３９，４１）は、装飾片の第１の部分２１が第１の角度位置から第２の角度位置に変位する過程で係合状態となる。このような第１の種類の係合構造（３５，３７）と第２の種類の係合構造（３９，４１）を用いて、隣り合う装飾片を関係付けると、一列に並んでいる複数の装飾片１５ａ乃至１５ｄを必ず一方の方向または他方の方向から順番に変形させる場合にしか、各装飾片の姿勢を変えることができなくなる。すなわち並んでいる複数の装飾片１５ａ乃至１５ｄの中間位置にある装飾片に外力が加わっても、その装飾片の姿勢（角度位置）が変わることはない。その結果、変形した外形が容易に崩れることがないといった効果が得られる。
【００４０】
複数の装飾片１５a及至１５ｄすべてが第１の角度位置となっているときには、係合部２９を構成する貫通孔に下側に位置する突出部３１が嵌り込んで、その嵌合が保持された状態になっており、また第１の種類の係合構造（３５，３７）も係合状態になっている。したがって、各装飾片の第２の部分２３に一方の方向（グリップ部に向かう方向）から他方の方向（先端方向）へ順番に外力を加えない限り、各装飾片の姿勢が変わることはなく、変形した外形が維持される。また、複数の装飾片１５a及至１５ｄすべてが第２の角度位置となっているときには、係合部２９を構成する貫通孔に上側に位置する突出部３１が嵌り込んで、その嵌合が保持された状態になっており、また第２の種類の係合構造（３９，４１）も係合状態になっている。したがって、各装飾片の第１の部分２１に他方の方向（先端方向）から一方の方向（グリップ部に向かう方向）へ順番に外力を加えない限り、各装飾片の姿勢が変わることはなく、変形した外形が維持される。その結果、変形が完成した状態の玩具の外観が簡単に崩れることがないにもかかわらず、スライド動作をすることにより簡単に玩具の外観を変えることができる。
【００４１】
本実施の形態では、スライド部材５をスライド動作することにより、４つの装飾片１５ａ乃至１５ｄを順番に開口部１４から出したり、開口部１４内に引っ込めたりすることができる。その結果、スライド部材５のスライド動作を行うだけで、すばやく玩具の外観を変形することができる。なお本実施の形態では、スライド部材５を設けているが、専用のスライド部材を設けずに、例えば遊戯者の手の指や掌を印加手段として用いることができるのは勿論である。
【００４２】
また本実施の形態では、刀玩具に本発明を適用したが、本発明は刀玩具に適用する場合にのみ限定されるものではない。例えば、怪獣玩具や魚形状の玩具の背びれ部分や尾びれ部分等にも、本発明を適用することができるのは勿論である。
【図面の簡単な説明】
【００４３】
【図１】（Ａ）及び（Ｂ）は、外観が変わる刀玩具に本発明を適用した実施の形態の一例の斜視図である。
【図２】（Ａ）乃至（Ｄ）は、変形装飾構造が非突出状態から突出状態に変化する過程を順番に示すために玩具の玩具本体の一部を半割り状態にして示した図である。
【図３】（Ａ）及び（Ｂ）は、図２における変形の過程の要部を拡大して示した斜視図である。
【図４】（Ａ）乃至（Ｄ）は、変形装飾構造が突出状態から非突出状態に変化する過程を順番に示すために玩具の玩具本体の一部を半割り状態にして示した図である。
【図５】図４における変形の過程の要部を拡大して示した斜視図である。
【符号の説明】
【００４４】
１  グリップ部
３  玩具本体
５  スライド部材
７，９  変形装飾構造
１３  制御部
１４  開口部
１５ａ乃至１５ｄ  装飾片
１７，１９  壁部
２１  第１の部分
２３  第２の部分
２５  固定軸（回転中心）
２９  係合部
３１  突出部（被係合部）
３３  ガイド溝
３７  凹部（第１のストッパ部）
４１  凹部（第２のストッパ部）
４３  印加部材
【図１】
0004751672.tif 000002
【図２】
0004751672.tif 000003
【図４】
0004751672.tif 000004
【図３】
0004751672.tif 000005
【図５】
0004751672.tif 000006